(57)【要約】【課題】チャンネル選局の操作性を向上し得る受信装置を提供する。【解決手段】選局処理部１１およびチューナ１２で構成される選局部と、リモコン３における操作キーの操作に従って選局部にチャンネルを選局させる制御部２２とを備え、制御部２２は、リモコン３における操作キーとしてのチャンネルアップダウンキーが操作されたときに予め設定された設定チャンネルを除くチャンネルを昇順または降順で選局部に選局させる第１の制御を実行すると共に、リモコン３における操作キーとしてのカーソルキーが操作されたときに設定チャンネルを含むチャンネルを昇順または降順で選局部に選局させる第２の制御を実行する。【選択図】図１
2007110581.tif 000002
【特許請求の範囲】
【請求項１】
選局部と、操作部における操作キーの操作に従って前記選局部にチャンネルを選局させる制御部とを備えた受信装置であって、
前記制御部は、前記操作部における前記操作キーとしてのチャンネルアップダウンキーが操作されたときに予め設定された設定チャンネルを除くチャンネルを昇順または降順で前記選局部に選局させる第１の制御を実行すると共に、前記操作部における前記操作キーとしてのカーソルキーが操作されたときに前記設定チャンネルを含むチャンネルを昇順または降順で前記選局部に選局させる第２の制御を実行する受信装置。
【請求項２】
前記制御部は、前記第１の制御の実行後に最初に操作された操作キーが前記カーソルキーのときに前記第２の制御を実行する請求項１記載の受信装置。
【請求項３】
前記制御部は、前記カーソルキーのうちの上向きのカーソルキーが操作されたときに前記設定チャンネルを昇順で前記選局部に選局させると共に、前記カーソルキーのうちの下向きのカーソルキーが操作されたときに前記設定チャンネルを降順で前記選局部に選局させる請求項１または２記載の受信装置。
【発明の詳細な説明】
【技術分野】
【０００１】
本発明は、選局部と、操作部における操作キーの操作に従って選局部にチャンネルを選局させる制御部とを備えた受信装置に関するものである。
【背景技術】
【０００２】
この種の受信装置として、特開平１０−２１５４４１号公報に開示されたデジタル放送受信機が知られている。このデジタル放送受信機は、ＣＰＵおよびチューナを備えて構成されている。この場合、ＣＰＵは、チューニング制御信号をチューナに出力し、チューナは、ＣＰＵからのチューニング制御信号に基づき、アンテナによって受信された複数の放送信号から１つの放送信号を選択する。また、このデジタル放送受信機は、無料チャンネルや契約チャンネル、つまり視聴可能なチャンネルについての識別データを含む視聴可能チャンネルテーブルを記憶するメモリを備えている。このデジタル放送受信機では、視聴可能チャンネルモードが設定された状態においてチャンネルアップキーまたはチャンネルダウンキーが操作されたときには、ＣＰＵからのチューニング制御信号に基づき、チューナが視聴可能なチャンネルのみを対象としてチャンネルアップおよびチャンネルダウンを実行する。このため、視聴不可能なチャンネルの選局が行われない分、目的のチャンネルへの切り替えを迅速に行うことが可能となっている。
【特許文献１】特開平１０−２１５４４１号公報（第４−９頁、第２図）
【発明の開示】
【発明が解決しようとする課題】
【０００３】
ところが、従来のデジタル放送受信機には、以下の問題点がある。すなわち、このデジタル放送受信機では、視聴可能なチャンネルのみを対象としてチャンネルアップおよびチャンネルダウンを実行することで、目的のチャンネルへの迅速な切り替えを図っている。しかしながら、例えば、チャンネル数の多いＣＳデジタル放送の場合、個別契約するより多くのチャネルが安価で見ることのできるパック契約することが多いため、実際にはほとんど視聴することのないチャンネルが数多く含まれている。したがって、これらのほとんど視聴することのないチャンネルを含む視聴可能な全てのチャンネルをチャンネルアップおよびチャンネルダウンの対象としている従来のデジタル放送受信機には、目的のチャンネルへの迅速な切り替えが依然として困難であるという問題点が存在する。この場合、普段視聴する頻度の高いチャンネルを予め設定して、そのチャンネルだけをメモリに記憶させる方法も考えられるが、この方法では、設定から除外したチャンネルを視聴しようとしたときには、改めてメモリに記憶させるチャンネルを設定し直したり、全チャンネルをチャンネルアップおよびチャンネルダウンの対象とする全チャンネルモードに切り替えたりする必要があり、却って操作が煩雑となる。したがって、この方法を採用するのは困難である。
【０００４】
本発明は、かかる問題点に鑑みてなされたものであり、チャンネル選局の操作性を向上し得る受信装置を提供することを主目的とする。
【課題を解決するための手段】
【０００５】
上記目的を達成すべく本発明に係る受信装置は、選局部と、操作部における操作キーの操作に従って前記選局部にチャンネルを選局させる制御部とを備えた受信装置であって、前記制御部は、前記操作部における前記操作キーとしてのチャンネルアップダウンキーが操作されたときに予め設定された設定チャンネルを除くチャンネルを昇順または降順で前記選局部に選局させる第１の制御を実行すると共に、前記操作部における前記操作キーとしてのカーソルキーが操作されたときに前記設定チャンネルを含むチャンネルを昇順または降順で前記選局部に選局させる第２の制御を実行する。
【０００６】
この受信装置では、チャンネルアップダウンキーが操作されたときに制御部が第１の制御を実行する。このため、例えば、ほとんど視聴することのないチャンネルを設定チャンネルとして予め設定することで、その設定チャンネルを除くチャンネルだけを選局対象とすることができるため、視聴可能な全てのチャンネルを選局対象としてる従来のデジタル放送受信機と比較して、所望のチャンネルを効率的に選局することができる。また、この受信装置では、カーソルキーが操作されたときに制御部が第２の制御を実行する。このため、例えば、設定チャンネルを視聴しようとしたときや、契約外のチャンネルを画面上で契約しようとしたときに、設定チャンネルの解除等の煩雑な操作を行うことなくカーソルキーを操作するだけで、その設定チャンネルを選局することができる。したがって、この受信装置によれば、チャンネル選局の操作性を十分に向上させることができる。
【０００７】
また、本発明に係る受信装置は、上記の受信装置において、前記制御部は、前記第１の制御の実行後に最初に操作された操作キーが前記カーソルキーのときに前記第２の制御を実行する。
【０００８】
この受信装置では、第１の制御の実行後に最初に操作された操作キーがカーソルキーのときに制御部が第２の制御を実行する。このため、例えば、カーソルキーに選局機能以外の他の機能が割り当てられていたとしても、チャンネルアップダウンキーの操作直後にカーソルキーを操作することで制御部に第２の制御を確実に実行させることができる。
【０００９】
また、本発明に係る受信装置は、上記の受信装置において、前記制御部は、前記カーソルキーのうちの上向きのカーソルキーが操作されたときに前記設定チャンネルを昇順で前記選局部に選局させると共に、前記カーソルキーのうちの下向きのカーソルキーが操作されたときに前記設定チャンネルを降順で前記選局部に選局させる。
【００１０】
この受信装置では、上向きのカーソルキーが操作されたときに制御部が設定チャンネルを昇順で選局部に選局させると共に、下向きのカーソルキーが操作されたときに制御部が設定チャンネルを降順で選局部に選局させる。このため、例えば左向きのカーソルキーや右向きのカーソルキーを操作して設定チャンネルを昇順や降順で選局部に選局させる構成と比較して、昇順での選局および降順での選局の機能がカーソルキーに割り当てられていることを直感的に認識させることができるため、操作ミスを確実に防止することができる。
【発明を実施するための最良の形態】
【００１１】
以下、本発明に係る受信装置の最良の形態について、添付図面を参照して説明する。図１に示すプロジェクションテレビ（以下、単に「テレビ」ともいう）１は、本発明に係る受信装置を備えたテレビの一例であって、同図に示すように、本体部２およびリモコン３を備えて構成されている。本体部２は、選局処理部１１、チューナ１２、プリセット情報保存部１３、映像音声処理部１４、映像出力部１５、表示部１６、音声出力部１７、スピーカ１８、ＩＣカードスロット１９、カード情報処理部２０、キー入力処理部２１および制御部２２を備えている。この場合、選局処理部１１、チューナ１２、プリセット情報保存部１３、映像音声処理部１４、ＩＣカードスロット１９、カード情報処理部２０、キー入力処理部２１および制御部２２によって本発明に係る受信装置が構成される。
【００１２】
選局処理部１１は、制御部２２の制御に従い、チューナ１２に対して所定のチャンネルを選局させると共に、そのチャンネルの放送信号Ｓｂを抽出させる。チューナ１２は、一例として、１１０度ＣＳデジタル放送を受信可能に構成されて、選局処理部１１の制御に従い、所定のチャンネルを選局すると共に、そのチャンネルの放送信号Ｓｂを図外のアンテナで受信した放送波から抽出して映像音声処理部１４に出力する。この場合、選局処理部１１とチューナ１２とによって本発明における選局部が構成される。
【００１３】
プリセット情報保存部１３は、リモコン３の各チャンネル指定キー３２（図２参照）と各チャンネル指定キー３２に割り当てられるチャンネル（チャンネル番号）とを対応付けた対応付けデータや、制御部２２によって実行される制御処理５０（図３参照）において用いられるスキップデータＤｓを記憶する。この場合、スキップデータＤｓは、後述するように、リモコン３におけるチャンネルアップキー３３Ａまたはチャンネルダウンキー３３Ｂ（キー３３Ａ、３３Ｂの両者で本発明におけるチャンネルアップダウンキーを構成する。以下、両キー３３Ａ、３３Ｂを区別しないときには、チャンネルアップダウンキー３３ともいう）の操作によってチャンネルを昇順または降順で選局（以下、この選局方法をそれぞれ「昇順選局」および「降順選局」ともいう）する際に、その昇順選局および降順選局の対象から除外するチャンネル、つまり昇順選局および降順選局の際にスキップさせるチャンネルを特定するためのデータであって、図４に概念的に示すように、受信可能な各チャンネル毎にスキップさせるか否かを特定可能なデータで構成されている。
【００１４】
映像音声処理部１４は、制御部２２の制御に従い、チューナ１２から出力された放送信号Ｓｂに基づく映像信号Ｄｐおよび音声信号Ｄｖを映像出力部１５および音声出力部１７にそれぞれ出力する。この場合、映像音声処理部１４は、放送信号Ｓｂにスクランブルが付加されているときには、制御部２２から転送されるキーデータＤｋを用いてスクランブルを解除する。映像出力部１５は、制御部２２の制御に従い、映像音声処理部１４から出力された映像信号Ｄｐをテレビ映像Ｐｔ１〜Ｐｔ５（図２，５〜８参照：以下、区別しないときには「テレビ映像Ｐｔ」ともいう）の表示用の映像信号Ｓｐに変換して表示部１６に出力すると共に、設定用映像Ｐｓ（図４参照）を表示させるための映像信号Ｓｐを生成して表示部１６に出力する。表示部１６は、一例として、光学エンジンおよびスクリーンパネル（いずれも図示せず）を備え、映像出力部１５から出力された映像信号Ｓｐに対応する映像を表示する。具体的には、この表示部１６は、出力された映像信号Ｓｐに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００１５】
音声出力部１７は、映像音声処理部１４から出力された音声信号Ｄｖを増幅して音声信号Ｓｖとしてスピーカ１８に出力する。スピーカ１８は、音声出力部１７から出力された音声信号Ｓｖに基づく音声を出力する。なお、本明細書における「音声」には、人の声のみならず、鳥の鳴き声、風の音および音楽等の各種の「音」が含まれる。ＩＣカードスロット１９は、１１０度ＣＳデジタル放送における放送信号Ｓｂに付加されているスクランブルを解除するためのキーデータＤｋが書き込まれたＩＣカード１００（図１参照）を着脱可能に構成されて、カード情報処理部２０の制御に従ってＩＣカード１００からキーデータＤｋを読み出してカード情報処理部２０に出力する。カード情報処理部２０は、ＩＣカードスロット１９によるＩＣカード１００からのキーデータＤｋの読み出しを制御し、読み出したキーデータＤｋを制御部２２に出力する。キー入力処理部２１は、リモコン３から出力される赤外線信号Ｓｉを受光して復調信号Ｓｄを出力する受光部２１ａを備えて構成され、受光部２１ａからの復調信号Ｓｄに対応する（つまりリモコン３の操作キーに対応する）操作信号Ｓｏを制御部２２に出力する。制御部２２は、キー入力処理部２１から出力された操作信号Ｓｏに基づいて、つまりリモコン３における操作キーの操作に従い、選局処理部１１、映像音声処理部１４、映像出力部１５、音声出力部１７およびカード情報処理部２０を制御する。この場合、制御部２２は、キー入力処理部２１から操作信号Ｓｏが出力されたときに、図３に示す制御処理５０を実行する。また、制御部２２は、チャンネルアップダウンキー３３が操作されたか否かを示すキー判別フラグＦを内部メモリに記憶する。
【００１６】
リモコン３は、図２に示すように、本体部２とは別体に形成されている。また、リモコン３は、電源キー３１、１２個のチャンネル指定キー３２、チャンネルアップキー３３Ａ、チャンネルダウンキー３３Ｂ、カーソルキー３４Ａ〜３４Ｄ（以下、区別しないときには「カーソルキー３４」ともいう）および設定キー３５などの各種操作キーが配列されて構成され、これらの操作キーが操作されたときに、各操作キーに対応する赤外線信号Ｓｉを出力（送信）する。
【００１７】
次に、テレビ１の全体的な動作について、図面を参照して説明する。このテレビ１では、リモコン３の電源キー３１が操作された際に、表示部１６の光学エンジンに電源が供給されて、光源ランプが発光する。また、制御部２２が、選局処理部１１を制御することにより、直前の電源切断時に選局されていたチャンネル（例えば２１９チャンネル）の放送信号Ｓｂをチューナ１２に抽出させる。また、制御部２２は、カード情報処理部２０を制御してＩＣカードスロット１９に装着されているＩＣカード１００からキーデータＤｋを読み出させると共に、そのキーデータＤｋを映像音声処理部１４に転送する。次いで、映像音声処理部１４が、チューナ１２から出力された放送信号ＳｂのスクランブルをキーデータＤｋを用いて解除すると共に、放送信号Ｓｂに基づく映像信号Ｄｐおよび音声信号Ｄｖを映像出力部１５および音声出力部１７にそれぞれ出力する。続いて、映像出力部１５が、映像信号Ｄｐをテレビ映像Ｐｔの表示用の映像信号Ｓｐに変換して表示部１６に出力する。次いで、表示部１６の光学エンジンが映像信号Ｓｐに基づいて変調した投射光をスクリーンパネルに投射する。これにより、図２に示すように、２１９チャンネルのテレビ映像Ｐｔ１が表示される。また、音声出力部１７が、映像音声処理部１４から出力された音声信号Ｄｖを増幅して音声信号Ｓｖをスピーカ１８に出力し、スピーカ１８が、音声信号Ｓｖに基づく２１９チャンネルの音声を出力する。
【００１８】
一方、このテレビ１では、受信可能な全てのチャンネルの中から、昇順選局および降順選局の際にスキップさせるチャンネルを任意に設定することが可能となっている。なお、この設定をしたチャンネルが本発明における設定チャンネルに相当し、以下「スキップチャンネル」ともいう。このスキップチャンネルを設定（以下、「スキップ設定」ともいう）する際には、リモコン３の設定キー３５を操作する。この際に、リモコン３が、設定キー３５に対応する赤外線信号Ｓｉを出力し、キー入力処理部２１の受光部２１ａが赤外線信号Ｓｉを受光して復調信号Ｓｄを出力する。また、キー入力処理部２１がその復調信号Ｓｄに対応する操作信号Ｓｏを制御部２２に出力する。これに応じて、制御部２２が、図３に示す制御処理５０を実行する。この制御処理５０では、制御部２２は、キー入力処理部２１から出力された操作信号Ｓｏがチャンネルアップダウンキー３３に対応する操作信号Ｓｏであるか否かを判別する（ステップ５１）。この際に、この操作信号Ｓｏがチャンネルアップダウンキー３３に対応する操作信号Ｓｏではないため、制御部２２は、操作信号Ｓｏがカーソルキー３４Ａ，３４Ｂに対応する操作信号Ｓｏであるか否かを判別する（ステップ５２）。
【００１９】
この場合、この操作信号Ｓｏがカーソルキー３４に対応する操作信号Ｓｏではないため、制御部２２は、操作キー（この場合、設定キー３５）に対応する処理を実行する（ステップ５３）。この際には、設定キー３５に対応する処理として、制御部２２は、映像出力部１５を制御することにより、図４に示すように、スキップチャンネルの設定を行うための設定用映像Ｐｓを表示部１６に表示させる。次いで、制御部２２は、内部メモリ内のキー判別フラグＦがオン状態のときには、キー判別フラグＦをオフに設定して（ステップ５４）、制御処理５０を終了する。続いて、例えば、リモコン３のチャンネル指定キー３２を数字キーとして用いて、チャンネルを指定し、そのチャンネルについてスキップさせるか否かを設定する。この際に、制御部２２は、操作信号Ｓｏが出力される度に、上記した制御処理５０のステップ５１〜５４を実行して操作信号Ｓｏに対応する処理、つまり操作キーの操作によって設定された内容に基づくスキップデータＤｓの生成処理を実行して、生成したスキップデータＤｓをプリセット情報保存部１３に記憶させる。以上により、スキップ設定を終了する。
【００２０】
次に、例えば、図２に示す「１」の数字が付されたチャンネル指定キー３２が操作されたときは、リモコン３が、そのチャンネル指定キー３２に対応する赤外線信号Ｓｉを出力し、キー入力処理部２１が、操作信号Ｓｏを制御部２２に出力する。これに応じて、制御部２２は、上記と同様にして制御処理５０のステップ５１〜５４を実行する。この場合、制御部２２は、ステップ５３における操作キーに対応する処理として、そのチャンネル指定キー３２に対応付けられたチャンネル（例えば２２０チャンネル）をプリセット情報保存部１３に記憶されている対応付けデータに基づいて特定し、チューナ１２に対してそのチャンネルを選局させると共に、そのチャンネルの放送信号Ｓｂを抽出させる。次いで、チューナ１２、映像音声処理部１４、映像出力部１５、表示部１６、音声出力部１７およびスピーカ１８が上記の動作と同様にして動作することにより、図５に示すように、２１９チャンネルのテレビ映像Ｐｔ１に代えて２２０チャンネルのテレビ映像Ｐｔ２が表示されると共に、２１９チャンネルの音声に代えて２２０チャンネルの音声が出力される。
【００２１】
次に、例えば、スキップチャンネルを除くチャンネルを昇順選局する際には、図２に示すリモコン３のチャンネルアップキー３３Ａを操作する。この際には、リモコン３がチャンネルアップキー３３Ａに対応する赤外線信号Ｓｉを出力し、キー入力処理部２１が操作信号Ｓｏを制御部２２に出力する。これに応じて、制御部２２は、制御処理５０を実行する。この場合、制御部２２は、ステップ５１において、キー入力処理部２１から出力された操作信号Ｓｏがチャンネルアップダウンキー３３に対応する操作信号Ｓｏであると判別して、現在選局されているチャンネル（この場合２２０チャンネル）の次に番号の大きいチャンネル（この場合２２１チャンネル）についての情報をプリセット情報保存部１３に記憶されているスキップデータＤｓから取得する（ステップ５５）。
【００２２】
次いで、制御部２２は、取得した情報に基づいて２２１チャンネルにスキップ設定がされているか否かを判別する（ステップ５６）。この場合、図４に示すように、２２１チャンネルがスキップ設定されているため、制御部２２は、ステップ５５を再び実行することにより、次に番号の大きいチャンネル（この場合２２２チャンネル）の情報を取得して、続いてステップ５６を実行する。次いで、制御部２２は、スキップ設定されていないチャンネルの情報を取得するまでステップ５５，５６を繰り返して実行する。続いて、ステップ５６において、チャンネルにスキップ設定されていないと判別したときには、制御部２２は、選局処理部１１を制御することにより、チューナ１２に対してそのチャンネル（この例では２２４チャンネル）を選局させると共に（ステップ５７）、そのチャンネルの放送信号Ｓｂを抽出させる。続いて、チューナ１２、映像音声処理部１４、映像出力部１５、表示部１６、音声出力部１７およびスピーカ１８が上記の動作と同様にして動作することにより、２２０チャンネルのテレビ映像Ｐｔ２に代えて、図６に示すように、２２４チャンネルのテレビ映像Ｐｔ３が表示されると共に、２２０チャンネルの音声に代えて２２４チャンネルの音声が出力される。続いて、制御部２２は、内部メモリ内のキー判別フラグＦがオフ状態のときには、このキー判別フラグＦをオンに設定して（ステップ５８）、制御処理５０を終了する。この場合、上記したステップ５１，５５〜５７の処理が本発明における第１の制御に相当し、以下「スキップ選局制御」ともいう。
【００２３】
次に、例えば、スキップチャンネルを含む受信可能な全てのチャンネルを降順選局する際には、カーソルキー３４Ａ，３４Ｂ以外の操作キーを操作していない状態で下向きのカーソルキー３４Ｂを操作する。この際に、リモコン３がカーソルキー３４Ｂに対応する赤外線信号Ｓｉを出力し、キー入力処理部２１が操作信号Ｓｏを制御部２２に出力する。これに応じて、制御部２２は、制御処理５０を実行する。この場合、制御部２２は、ステップ５１において、キー入力処理部２１から出力された操作信号Ｓｏがチャンネルアップダウンキー３３に対応する操作信号Ｓｏではないと判別する。次いで、制御部２２は、操作信号Ｓｏがカーソルキー３４に対応する操作信号Ｓｏであるか否かを判別する（ステップ５２）。この際に、制御部２２は、この操作信号Ｓｏがカーソルキー３４に対応する操作信号Ｓｏであるため、内部メモリ内のキー判別フラグＦがオン状態であるか否かを判別する（ステップ５９）。
【００２４】
この場合、上記したステップ５８においてキー判別フラグＦがオンに設定されているため、制御部２２は、選局処理部１１を制御することにより、チューナ１２に対して現在選局されているチャンネル（この場合２２４チャンネル）の次に番号が小さいチャンネル（この場合２２３チャンネル）を選局させると共に、そのチャンネルの放送信号Ｓｂを抽出させて（ステップ６０）、制御処理５０を終了する。この場合、上記したステップ５１，５２，５９，６０の処理が本発明における第２の制御に相当し、以下「フル選局制御」ともいう。続いて、チューナ１２、映像音声処理部１４、映像出力部１５、表示部１６、音声出力部１７およびスピーカ１８が上記の動作と同様にして動作することにより、２２４チャンネルのテレビ映像Ｐｔ３に代えて、図７に示すように、２２３チャンネルのテレビ映像Ｐｔ４が表示されると共に、２２４チャンネルの音声に代えて２２３チャンネルの音声が出力される。
【００２５】
次に、例えば、カーソルキー３４Ｂを再度操作したときには、キー入力処理部２１から出力されたカーソルキー３４Ｂに対応する操作信号Ｓｏに応じて、制御部２２が、上記の動作と同様にして制御処理５０のステップ５１，５２，５９，６０、つまりフル選局制御を実行することにより、２２３チャンネルのテレビ映像Ｐｔ４に代えて、図８に示すように、２２２チャンネルのテレビ映像Ｐｔ５が表示されると共に、２２３チャンネルの音声に代えて２２２チャンネルの音声が出力される。
【００２６】
次に、例えば、上向きのカーソルキー３４Ａを操作したときには、キー入力処理部２１から出力されたカーソルキー３４Ａに対応する操作信号Ｓｏに応じて、制御部２２がフル選局制御を実行することにより、図８に示す２２２チャンネルのテレビ映像Ｐｔ５に代えて、図７に示す２２３チャンネルのテレビ映像Ｐｔ４が表示されると共に、２２２チャンネルの音声に代えて２２３チャンネルの音声が出力される。
【００２７】
一方、チャンネルアップダウンキー３３およびカーソルキー３４以外の操作キーが操作されたときには、制御部２２は、上記したように、制御処理５０のステップ５１〜５４を実行する。この場合、制御部２２は、その操作キーに対応する操作信号Ｓｏに従って処理を実行した後にキー判別フラグＦをオフに設定する。このため、チャンネルアップダウンキー３３の操作後に、チャンネルアップダウンキー３３およびカーソルキー３４以外の操作キーを操作し、その後にカーソルキー３４Ａまたはカーソルキー３４Ｂを操作したときには、制御部２２は、制御処理５０のステップ５９においてキー判別フラグＦがオンに設定されていないと判別して、選局処理を実行することなく制御処理５０を終了する。
【００２８】
次に、例えば、スキップチャンネルを除くチャンネルを降順選局する際には、チャンネルダウンキー３３Ｂを操作する。この際に、キー入力処理部２１から出力されたチャンネルダウンキー３３Ｂに対応する操作信号Ｓｏに応じて、制御部２２は、上記の動作と同様にして制御処理５０のステップ５１，５５〜５８、つまりスキップ選局制御を実行する。以下、制御部２２は、チャンネルアップダウンキー３３が操作されたときにスキップ選局制御を実行する。また、制御部２２は、チャンネルアップダウンキー３３の操作後であって他の操作キーが操作される前にカーソルキー３４Ａ，３４Ｂが操作されたとき、つまりスキップ選局制御の実行後に最初に操作された操作キーがカーソルキー３４Ａ，３４Ｂのときにはフル選局制御を実行する。
【００２９】
このように、このテレビ１によれば、チャンネルアップダウンキー３３が操作されたときに制御部２２がスキップ選局制御を実行することにより、例えば、ほとんど視聴することのないチャンネルをスキップチャンネルとして予め設定することで、そのスキップチャンネルを除くチャンネルだけを選局対象とすることができるため、視聴可能な全てのチャンネルを選局の対象としてる従来のデジタル放送受信機と比較して、所望のチャンネルを効率的に選局することができる。
【００３０】
また、スキップチャンネルを視聴しようとする時や、契約外のチャンネルを例えば画面上で契約しようとする時には、チャンネルアップダウンキー３３の操作後であって他の操作キーが操作される前にカーソルキー３４Ａ，３４Ｂを操作することで実現できる。つまりスキップ選局制御の実行後に最初にカーソルキー３４Ａ，３４Ｂのいずれかを操作し、制御部２２がフル選局制御を実行することにより、例えば、カーソルキー３４Ａ，３４Ｂに選局機能以外の他の機能が割り当てられていたとしても、チャンネルアップダウンキー３３の操作直後にカーソルキー３４Ａ，３４Ｂを操作することで制御部２２にフル選局制御を確実に実行させることができる。これによれば、スキップチャンネルの解除等の煩雑な操作を行うことなくカーソルキー３４Ａ，３４Ｂを操作するだけで、そのスキップチャンネルを選局することができる。したがって、このテレビ１によれば、チャンネル選局の操作性を十分に向上させることができる。
【００３１】
また、制御部２２が、各カーソルキー３４のうちの上向きのカーソルキー３４Ａが操作されたときにスキップチャンネルを昇順でチューナ１２に選局（昇順選局）させ、各カーソルキー３４のうちの下向きのカーソルキー３４Ｂが操作されたときにスキップチャンネルを降順でチューナ１２に選局（降順選局）させることにより、例えば左向きのカーソルキー３４Ｃや、右向きのカーソルキー３４Ｄを操作して昇順選局や降順選局を行う構成と比較して、カーソルキー３４Ａ，３４Ｂに昇順選局および降順選局の機能が割り当てられていることを直感的に認識させることができるため、操作ミスを確実に防止することができる。
【００３２】
なお、本発明は、上記の構成に限定されない。例えば、１１０度ＣＳデジタル放送を受信対象とする例について上記したが、ＢＳデジタル放送や地上デジタル等の各種のデジタル放送、および各種のアナログ放送を受信対象する受信装置に本発明を適用することができる。また、光学エンジンおよびスクリーンパネルを有する表示部１６を備えたプロジェクションテレビ１に本発明を適用した例について上記したが、ＣＲＴ、液晶表示パネルおよびプラズマディスプレイ等で構成された表示部を備えたテレビに本発明を適用することもできる。また、映像出力部１５、表示部１６、音声出力部１７およびスピーカ１８を備えていないＢＳチューナ、ＣＳチューナ、アナログ放送用のチューナ、および有線放送用のチューナ等の各種の受信装置、並びにこれらの受信装置を備えたＶＴＲ、ＤＶＤレコーダおよびハードディスクレコーダ等のＡＶ機器等に本発明を適用することもできる。
【００３３】
また、受信可能な全てのチャンネルをフル選局制御の対象とする例について上記したが、例えば、無料のチャンネルおよび契約済みのチャンネル等の視聴可能なチャンネル、つまり受信可能ではあるがスクランブルが付加されているために視聴ができない（不可能な）チャンネルを除くチャンネルを制御部２２が特定し、それらの視聴可能なチャンネルをフル選局制御の対象とし、その中からスキップチャンネルを任意に設定可能な構成を採用することもできる。また、カーソルキー３４Ａ，３４Ｂが操作されたときに、スキップチャンネルを含む全てのチャンネルを選局対象としてフル選局制御を実行する例について上記したが、カーソルキー３４Ａ，３４Ｂが操作されたときに、スキップチャンネルのみを選局対象とする構成を採用することもできる。
【００３４】
また、チャンネルアップダウンキー３３の操作後であって他の操作キーが操作される前にカーソルキー３４Ａ，３４Ｂが操作されたとき、つまりスキップ選局制御の実行後に最初に操作された操作キーがカーソルキー３４Ａ，３４Ｂのときに制御部２２がフル選局制御を実行する例について上記したが、通常の使用状態においてカーソルキー３４Ａ，３４Ｂに他の機能が割り当てられていないときには、カーソルキー３４Ａ，３４Ｂの操作前における他の操作キーの操作の有無に拘わらず、カーソルキー３４Ａ，３４Ｂの操作に応じて制御部２２にフル選局制御を実行させる構成を採用することもできる。
【００３５】
さらに、カーソルキー３４のうちの上向きのカーソルキー３４Ａに昇順選局の機能を割り当てると共に、下向きのカーソルキー３４Ｂに降順選局の機能を割り当てた構成例について上記したが、カーソルキー３４Ａに降順選局の機能を割り当てると共に、カーソルキー３４Ｂに昇順選局の機能を割り当てる構成を採用することもできる。また、例えば、左向きのカーソルキー３４Ｃに昇順選局（または降順選局）の機能を割り当てると共に、右向きのカーソルキー３４Ｄに降順選局（または昇順選局）の機能を割り当てる構成を採用することもできる。また、本体部２とは別体に形成されたリモコン３を本発明における操作部の一例として説明したが、本発明における操作部の構成はこれに限定されず、本体部２に一体形成してもよい。また、外部機器のリモコンや汎用のリモコン等のリモコン３以外の各種のリモコンにおけるチャンネルアップダウンキーやカーソルキーの操作に応じてスキップ選局制御やフル選局制御を実行可能に制御部２２を構成することができるのは勿論である。
【図面の簡単な説明】
【００３６】
【図１】プロジェクションテレビ１の構成を示すブロック図である。
【図２】プロジェクションテレビ１の正面図である。
【図３】制御処理５０のフローチャートである。
【図４】設定用映像Ｐｓの表示画面図である。
【図５】テレビ映像Ｐｔ２の表示画面図である。
【図６】テレビ映像Ｐｔ３の表示画面図である。
【図７】テレビ映像Ｐｔ４の表示画面図である。
【図８】テレビ映像Ｐｔ５の表示画面図である。
【符号の説明】
【００３７】
１  プロジェクションテレビ、３  リモコン、１１  選局処理部、１２  チューナ、１３  プリセット情報保存部、１４  映像音声処理部、１９  ＩＣカードスロット、２０  カード情報処理部、２１  キー入力処理部、２２  制御部、３３Ａ  チャンネルアップキー、３３Ｂ  チャンネルダウンキー、３４Ａ〜３４Ｄ  カーソルキー、Ｓｂ  放送信号、Ｓｏ  操作信号
【図１】
2007110581.tif 000003
【図２】
2007110581.tif 000004
【図３】
2007110581.tif 000005
【図４】
2007110581.tif 000006
【図５】
2007110581.tif 000007
【図６】
2007110581.tif 000008
【図７】
2007110581.tif 000009
【図８】
2007110581.tif 000010